(57)【要約】【課題】    例えば水平面上に置かれた板状部材を挟み具で切断又は保持する場合、一対のアームの相対揺動軸線を水平面に対して略平行に保つ為に、手のひらを水平面に対して略垂直に保ちながら作業することが多い。この場合、挟み具の移動に際して自然人の腕の構造から手首の過度な揺動運動が必要になり、長時間の作業による手首の疲労が問題となる。【解決手段】  指掛部（２,９）の揺動中心である軸線（６,１３）に対して、挟み部（４９）の揺動中心である軸線（１７）を略垂直に備え、上手に連結し動力伝達する。【選択図】          図６
2008284332.tif 000002
【特許請求の範囲】
【請求項１】
一端部に第１指掛部と、他端部に第１軸線を中心とする第１伝達部と、を備え、前記第１軸線を中心に揺動可能にベースに支持される第１アームと、
一端部に第２指掛部と、他端部に前記第１軸線に略平行な第２軸線を中心とする第２伝達部と、を備え、前記第２軸線を中心に揺動可能に前記ベースに支持される第２アームと、
一端部に第１挟み部と、他端部に前記第１軸線に略垂直な第３軸線を中心とする第３伝達部と、を備え、前記第３軸線を中心に揺動可能に前記ベースに支持される第３アームと、
一端部に前記第１挟み部と一対となる第２挟み部を備え、他端部が前記ベースに接続される第４アームと、
を具備し、
前記第１軸線を中心に前記第１指掛部を前記ベースに対して第１方向に揺動させることで、前記第２軸線を中心に前記第２指掛部が前記ベースに対して前記第１方向とは逆方向である第２方向に揺動するよう前記第１伝達部及び前記第２伝達部が回転伝達可能に連結されており、且つ前記第３軸線を中心に前記第１挟み部が前記ベースに対して第３方向に揺動するよう前記第１伝達部及び前記第２伝達部の少なくとも一方から回転伝達可能に連結されている、
挟み具。
【請求項２】
一端部に第１指掛部と、他端部に第１軸線を中心とする第１伝達部と、を備え、前記第１軸線を中心に揺動可能にベースに支持される第１アームと、
一端部に第２指掛部と、他端部に前記第１軸線に略平行な第２軸線を中心とする第２伝達部と、を備え、前記第２軸線を中心に揺動可能に前記ベースに支持される第２アームと、
一端部に第１挟み部と、他端部に前記第１軸線に略垂直な第３軸線を中心とする第３伝達部と、を備え、前記第３軸線を中心に揺動可能に前記ベースに支持される第３アームと、
一端部に前記第１挟み部と一対となる第２挟み部と、他端部に前記第３軸線に略平行な第４軸線を中心とする第４伝達部と、を備え、前記第４軸線を中心に揺動可能に前記ベースに支持される第４アームと、
を具備し、
前記第１軸線を中心に前記第１指掛部を前記ベースに対して第１方向に揺動させることで、前記第２軸線を中心に前記第２指掛部が前記ベースに対して前記第１方向とは逆方向である第２方向に揺動するよう前記第１伝達部及び前記第２伝達部が回転伝達可能に連結されており、且つ前記第３軸線を中心に前記第１挟み部が前記ベースに対して第３方向に揺動するよう前記第１伝達部及び前記第２伝達部の少なくとも一方から回転伝達可能に連結されており、且つ前記第４軸線を中心に前記第２挟み部が前記ベースに対して前記第３方向とは逆方向である第４方向に揺動するよう前記第１伝達部及び前記第２伝達部の少なくとも一方から回転伝達可能に連結されている、
挟み具。
【発明の詳細な説明】
【技術分野】
【０００１】
本発明は、ハサミ、ニッパー、ペンチ等の、挟み具に関する。
【背景技術】
【０００２】
挟み具の中でもハサミにおいては、特許文献１のように一対のアームの一端部の一方の指掛部に親指を挿入する略円形穴、及び他方の指掛部に親指以外の指を挿入する長穴と、略中央部に一対のアームを相対揺動可能に支持する軸ピンと、他端部に挟み部として一対の刃形状と、を備えているものが多い。
【０００３】
【特許文献１】特開平０６−２３３８７２号公報
【０００４】
また、挟み具の中でもペンチやニッパーにおいては、特許文献２のように一対のアームの一端部の一方の指掛部に親指を掛ける棒形状、及び他方の指掛部に親指以外の指を掛ける棒形状を備えるものが多い。これらの棒形状を握ることで一対のアームの挟み部が閉じられ、針金等を強い力で保持することが可能であり、閉じられた挟み部を開く為には棒形状に指を絡めながら握っていた手を開く、又は挟み部が開く方向に付勢する付勢部材が追加されることが多い。
【０００５】
【特許文献２】特開２００２−３０７３１７号公報
【発明の開示】
【発明が解決しようとする課題】
【０００６】
例えば机等の高い位置の水平面上に置かれた板状部材を挟み具で切断又は保持する場合、一対のアームの相対揺動軸線を水平面に対して略平行に保つ為に、手のひらを水平面に対して略垂直に保ちながら作業することが多く、また例えば地面等の低い位置の水平面上に生えた雑草を挟み具で切断又は保持し引き抜く場合、一対のアームの相対揺動軸線を水平面に対して略垂直に保つ為に、手のひらを水平面に対して略平行に保ちながら作業することが多い。これらの場合、挟み具の移動に際して自然人の腕の構造から手首の過度な揺動運動が必要になり、その結果、長時間の作業による手首の疲労が問題となる。そこで、一対の指掛部の相対揺動方向に対して一対の挟み部の相対揺動方向が略垂直に動作するような案が求められるが、安易にこれを実現しようとすると、一対の指掛部の相対揺動に影響されて一対の挟み部が一対の指掛部の相対揺動方向に対して略平行な方向にも動いてしまい、その結果、被挟み物を上手に挟めないというような問題が発生してしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る挟み具は、例えば図１から６の組み、図７及び８の組み、図９及び１０の組み、のいずれかの組みのように、
一端部に指掛部２と、他端部に軸線６を中心とする伝達部１９と、を備え、軸線６を中心に揺動可能にベース４０に支持されるアーム１と、
一端部に指掛部９と、他端部に軸線６に略平行な軸線１３を中心とする伝達部２０と、を備え、軸線１３を中心に揺動可能にベース４０に支持されるアーム８と、
一端部に挟み部４９と、他端部に軸線６に略垂直な軸線１７を中心とする伝達部２１と、を備え、軸線１７を中心に揺動可能にベース４０に支持されるアーム４８と、
一端部に挟み部４９と一対となる挟み部５２を備え、他端部がベース４０に接続されるアーム５０と、
を具備し、
軸線６を中心に指掛部２をベース４０に対して第１方向に揺動させることで、軸線１３を中心に指掛部９がベース４０に対して前記第１方向とは逆方向である第２方向に揺動するよう伝達部１９及び２０が回転伝達可能に連結されており、且つ軸線１７を中心に挟み部４９がベース４０に対して第３方向に揺動するよう伝達部１９及び２０の少なくとも一方から回転伝達可能に連結されている、
挟み具である。
【０００９】
発明２に係る挟み具は、例えば図１から６の組み、又は、図７及び８の組みにおいてベース４０に他端部が固定接続されているアーム５０の替わりにそれぞれ、図１１又は１４のように、一端部に挟み部４９と一対となる挟み部５２と、他端部に軸線１７に略平行な軸線１８を中心とする伝達部２５と、を備え、軸線１８を中心に揺動可能にベース４０に支持されるアーム５０を具備し、
軸線６を中心に指掛部２をベース４０に対して第１方向に揺動させることで、軸線１３を中心に指掛部９がベース４０に対して前記第１方向とは逆方向である第２方向に揺動するよう伝達部１９及び２０が回転伝達可能に連結されており、且つ軸線１７を中心に挟み部４９がベース４０に対して第３方向に揺動するよう伝達部１９及び２０の少なくとも一方から回転伝達可能に連結されており、且つ軸線１８を中心に挟み部５０がベース４０に対して前記第３方向とは逆方向である第４方向に揺動するよう伝達部１９及び２０の少なくとも一方から回転伝達可能に連結されている、
挟み具である。
【００１０】
また、例えば図７及び８の組みにおいてベース４０に他端部が固定接続されているアーム５０の替わりに、アーム４８をアーム４８中心に１８０度回転させたような第４アームを具備し、伝達部１９上の伝達部２１が連結されている部分から軸線６を中心に１８０度回転した付近に前記第４アームの伝達部を連結するような構成が考えられる。
【発明の効果】
【００１１】
以上のように本発明では、指掛部２及び９の相対揺動方向に対して挟み部４９及び５２の相対揺動方向が略垂直に動作するような手首に優しい構造を採用しても、指掛部２及び９の相対揺動に影響されて挟み部４９及び５２が指掛部２及び９の相対揺動方向に対して略平行な方向にも動いてしまい、その結果、被挟み物を上手に挟めないというような問題が発生しにくい。
【発明を実施するための最良の形態】
【００１２】
〔第１実施形態〕
図１はアーム１の一部を表しており、鉄板を打ち抜き成型された部材の一端部は穴４の開いた輪状の樹脂成型部材でモールドされ指掛部２となっており、他端部には軸線６を中心とする穴７及びスプライン５による嵌合形状が備えられている。この穴７及びスプライン５にはそれぞれ、図３の伝達部１９の円筒部２６及びスプライン２２が嵌合する。
【００１３】
また、図２はアーム２の一部を表しており、鉄板を打ち抜き成型された部材の一端部は穴１１の開いた輪状の樹脂成型部材でモールドされ指掛部９となっており、他端部には軸線１３を中心とする穴１４及びスプライン１２による嵌合形状が備えられている。この穴１４及びスプライン１２にはそれぞれ、図３の伝達部２０の円筒部２７及びスプライン２３が嵌合する。
【００１４】
また、図３は伝達部１９、２０、２１、及び２５の連結構造を表しており、軸線１７を中心とする軸部３２、軸線１７と同心である軸線１８を中心とする軸部３３、及び軸部３２及び３３をつなぐ中間部３４を備える部材に円錐状の伝達部２１及び２５の中心軸穴が隙間嵌合されてから、軸線１７に対して略垂直に交わる軸線６及び１３を中心とする軸ピン３０に円錐状の伝達部１９及び２０の中心軸穴が隙間嵌合され、伝達部２１及び２５はいずれも伝達部１９及び２０に直接連結されており、伝達部１９及び２０は伝達部２１及び２５の少なくとも一方を介して連結されていることになる。また、伝達部１９、２０、２１、及び２５はそれぞれの揺動軸線を中心とする歯車形状がかみ合って回転伝達可能に連結されているが、歯の無いフリクション伝達を用いても良いだろう。しかし、最も好ましい形態は、かさ歯車形状を用いたものである。
【００１５】
また、図４はベース４０の一部を表しており、軸部３２及び３３にそれぞれ図３の伝達部２１及び２５を嵌めてから、Ｕ字状部材の略中央部の穴４３に軸部３３の先端部を嵌め、伝達部１９及び２０をＵ字状部材の内部に挿入してからＵ字状部材の穴４１及び４２、及び中間部３４の穴３５、及び伝達部１９及び２０それぞれの中心軸穴を全て貫通するように軸ピン３０を挿入する。
【００１６】
また、図５はアーム４８及び５０の構造を表しており、ベース４０に備えられた中空リベット５４の穴５３を中心とする軸線１７を中心に揺動可能にアーム４８の他端部は中空リベット５４に支持されており、軸線１７を中心とするスプライン５１を備えている。この穴５３及びスプライン５１はそれぞれ、図３の軸部３２の先端部及びスプライン２４が嵌合する。また、ベース４０の凹形状４６及び４７にはそれぞれ、図４のＵ字状部材の両端部の凸形状４４及び４５が嵌合する。また、挟み部４９及び５２にはそれぞれ刃形状が備えられており、紙等を切断可能である。
【００１７】
〔第２実施形態〕
図７及び８において、アーム１は一端部に穴４の開いた輪状の指掛部２と、他端部に軸線６を中心とする平歯車形状５９及びかさ歯車形状６１を有する伝達部１９と、を備えている。また、アーム８は一端部に穴１１の開いた輪状の指掛部９と、他端部に軸線１３を中心とする平歯車形状６０を有する伝達部２０と、を備えている。また、アーム４８は一端部に挟み部４９と、他端部に軸線１７を中心とするかさ歯車形状６２を有する伝達部２１と、を備えている。これらアーム１、８、及び４８はいずれもベース４０に揺動可能に支持されており、平歯車形状５９及び６０はかみ合っており、かさ歯車形状６１及び６２もかみ合っている。また、アーム５０は一端部に挟み部５２を備え、他端部はベース４０に固定接続されており、挟み部４９及び５２にはそれぞれ刃形状が備えられており、紙等を切断可能である。ここで、かさ歯車形状６２をフェイス歯車とし、平歯車形状５９を延長してフェイス歯車とかみ合わせることで、かさ歯車形状６１を不要とすることも出来る。
【００１８】
〔第３実施形態〕
第３実施形態の挟み具は、第２実施形態の挟み具における伝達部１９及び２１の直接的な連結の替わりに、図９及び１０のように伝達部２０及び２１を直接的に連結した例である。伝達部２０に新たに備えられるかさ歯車形状６３にかさ歯車形状６２がかみ合っている。また図７のアーム４８及び５０と、図９のアーム４８及び５０は鏡像関係にある。
【００１９】
〔第４実施形態〕
第４実施形態の挟み具は、第１実施形態の挟み具においてベース４０に他端部が固定接続されているアーム５０の替わりに、図１１のように伝達部２５に他端部が固定接続され、挟み部４９及び５２が寄り添って配置されるように折り曲げられたアーム５０を採用している。
【００２０】
〔第５実施形態〕
第５実施形態の挟み具は、第２実施形態の挟み具における平歯車形状５９及び６０による回転伝達機構の替わりに、図１２のように軸線１３に対して平行なピン６５、及びピン６５を案内する溝６４がそれぞれ伝達部２０及び１９に設けられることで、確動カムによる回転伝達機構が構成されている。
【００２１】
〔第６実施形態〕
第６実施形態の挟み具は、第５実施形態の挟み具におけるかさ歯車形状６１及び６２による回転伝達機構の替わりに、図１３のように両端にボールピボットを備えたリンクロッド６６を伝達部１９及び２１の間に架設することによって回転伝達機構が構成されている。
【００２２】
〔第７実施形態〕
第７実施形態の挟み具は、第２実施形態の挟み具においてベース４０に他端部が固定接続されているアーム５０の替わりに、図１４のように伝達部２０に備えられたかさ歯車形状６７から回転伝達可能に連結されるかさ歯車形状６８を備え、軸線１８を中心に回転可能にベース４０に支持される伝達部２５が他端部に備えられ、挟み部４９及び５２が寄り添って配置されるように折り曲げられたアーム５０を採用している。また軸線１７及び１８は同心ではない。
【００２３】
〔その他の実施形態〕
第１から第７実施形態において、穴１１よりも小さい穴４は親指を挿入することを想定しているが、穴４及び１１を入れ替えて穴１１に親指を挿入することを想定するような構成であっても良い。
【００２４】
第２、第３、及び第７実施形態において、平歯車形状５９及び６０を直接連結するような構成の替わりに、平歯車形状５９及び６０の間に直列に平歯車を偶数個並べて連結し、偶数個の平歯車を介して伝達部１９及び２０が回転伝達を行うようにしても良い。
【００２５】
第４実施形態において、軸線１３を中心に中間部３４に対して軸部３３を例えば５度程度回転させて配置しても、伝達部１９及び２５、及び、伝達部２０及び２５の直接的な回転伝達は維持され、且つアーム４８及び５０の素材の適度な弾力性によって挟み部４９及び５２の刃形状によるハサミの機能は維持される。
また、伝達部１９、２０、２１、及び２５にハイポイド歯車を採用し、軸線１７及び１８が同心とならないような構成も考えられる。
【００２６】
第７実施形態において、軸線１３を中心に軸線１８を例えば５度程度回転させて配置しても、伝達部２０及び２５の回転伝達は維持され、且つアーム４８及び５０の素材の適度な弾力性によって挟み部４９及び５２の刃形状によるハサミの機能は維持される。
【００２７】
ハサミを例に表している上記実施形態において、挟み部４９及び５２の形状を変更して、ニッパー又はペンチ等にすることは当業者には容易であるので詳しい記載は省略する。
【図面の簡単な説明】
【００２８】
【図１】第１実施形態のアーム１の一部を第三角法で表す図
【図２】第１実施形態のアーム８の一部を第三角法で表す図
【図３】第１実施形態の伝達部１９、２０、２１、及び２５の連結構造を第三角法で表す図
【図４】第１実施形態のベース４０の一部を表す斜視図
【図５】第１実施形態のアーム４８及び５０の構造を第三角法で表す図
【図６】第１実施形態の全体図
【図７】第２実施形態の全体図
【図８】図７の伝達部１９、２０、及び２１付近拡大図
【図９】第３実施形態の全体図
【図１０】図９の伝達部１９、２０、及び２１付近拡大図
【図１１】第４実施形態の全体図
【図１２】第５実施形態の伝達部１９、２０、及び２１付近拡大図
【図１３】第６実施形態の伝達部１９、２０、及び２１付近拡大図
【図１４】第７実施形態の全体図
【符号の説明】
【００２９】
１,８,４８,５０.                アーム
２,９.                                               指掛部
３,１０.                             当たり
４,７,１１,１４,３５,
４１,４２,４３,５３.                       穴
５,１２,２２,２３,２４,５１.          スプライン
６,１３,１７,１８.                           軸線
１９,２０,２１,２５.                       伝達部
２６,２７,２９.                               筒状部
２８,４６,４７.                               凹形状
３０,５６,５７,５８,６９.               軸ピン
３１,５５.                                        頭
３２,３３.                                        軸部
３４.                                                中間部
４０.                                                ベース
４４,４５.                                        凸形状
４９,５２.                                        挟み部
５４.                                                中空リベット
５９,６０.                                        平歯車形状
６１,６２,６３,６７,６８.               かさ歯車形状
６４.                                                溝
６５.                                                ピン
６６.                                                リンクロッド
【図１】
2008284332.tif 000003
【図２】
2008284332.tif 000004
【図３】
2008284332.tif 000005
【図４】
2008284332.tif 000006
【図５】
2008284332.tif 000007
【図６】
2008284332.tif 000008
【図７】
2008284332.tif 000009
【図８】
2008284332.tif 000010
【図９】
2008284332.tif 000011
【図１０】
2008284332.tif 000012
【図１１】
2008284332.tif 000013
【図１２】
2008284332.tif 000014
【図１３】
2008284332.tif 000015
【図１４】
2008284332.tif 000016